(57)【特許請求の範囲】
【請求項１】
遊技機本体に装着された遊技盤と、該遊技盤の遊技領域に対応する視認窓を有し且つ前記遊技機本体の前側に開閉可能に配置された前扉とを備え、
前記前扉は前記視認窓を塞ぐ透明板ユニットとスピーカとを備えた遊技機において、
前記透明板ユニットは前記スピーカ及び／又は前記スピーカの周辺を経て挿入される不正部材の後側への進入を阻止する不正阻止部を備え、
前記スピーカは少なくとも一部が前記透明板ユニットと前後に重なるように該透明板ユニットの前側に配置した
ことを特徴とする遊技機。
【発明の詳細な説明】
【技術分野】
【０００１】
本発明は、パチンコ機、アレンジボール機等の遊技機に関するものである。
【背景技術】
【０００２】
パチンコ機等の遊技機は、遊技機本体に遊技盤を装着し、遊技機本体の前側に、遊技盤の遊技領域に対応する視認窓を有する前扉を開閉可能に枢着し、前扉の後側に視認窓を塞ぐ透明板ユニットを着脱自在に備えている。
【０００３】
この種のパチンコ機では、前扉には視認窓の上側、下側の左右両側等にスピーカを配置して、遊技の進行に応じてその遊技状況を音響的に演出する効果音を適宜発生するようにしている。しかし、前扉にスピーカを設ける場合には、スピーカ及びその周辺から針金状の不正部材が挿入されないように不正行為の防止対策を講じる必要がある。
【０００４】
この不正行為防止対策として、従来、スピーカの前面を小孔付きのスピーカカバーによって覆う一方、透明板ユニットの透明板を保持する保持部材に、スピーカの周辺近傍側へと突出する突出板部を一体的に設けて、この突出板部によりスピーカの周辺部分を塞ぐようにしたものがある（特許文献１）。
【先行技術文献】
【特許文献】
【０００５】
【特許文献１】特開２００８−０９３０７５号公報
【発明の概要】
【発明が解決しようとする課題】
【０００６】
従来の保持部材に突出板部を設けたものでは、スピーカの周辺部分の隙間から挿入された不正部材の後側への進入を防止する上では効果があるが、スピーカの前面の網目状カバーを経て挿入される不正部材の進入は防止できない。
【０００７】
即ち、一般的なスピーカでは、振動板の裏側のスピーカフレームに周方向に複数の開口がある。そのためスピーカの前面にスピーカカバーを設けただけでは、そのスピーカカバーの小孔から細い不正部材を挿入して振動板を突き破った後、スピーカフレームの開口部を経て遊技盤の遊技領域側へと挿入される等の惧れがあり、十分な不正行為の防止対策とはなり得ないという問題がある。
【０００８】
本発明は、このような従来の問題点に鑑み、スピーカを経ての不正行為を防止できる遊技機を提供することを目的とする。
【課題を解決するための手段】
【０００９】
本発明は、遊技機本体２，３に装着された遊技盤６と、該遊技盤６の遊技領域２２に対応する視認窓４２を有し且つ前記遊技機本体２，３の前側に開閉可能に配置された前扉１０とを備え、前記前扉１０は前記視認窓４２を塞ぐ透明板ユニット４３とスピーカ４５Ｂとを備えた遊技機において、前記透明板ユニット４３は前記スピーカ４５Ｂ及び／又は前記スピーカ４５Ｂの周辺を経て挿入される不正部材の後側への進入を阻止する不正阻止部８９を備え、前記スピーカ４５Ｂは少なくとも一部が前記透明板ユニット４３と前後に重なるように該透明板ユニット４３の前側に配置したものである。
【発明の効果】
【００１２】
本発明では、スピーカを経ての不正行為を防止できる利点がある。
【図面の簡単な説明】
【００１３】
【図１】本発明の第１の実施形態を示すパチンコ機の正面図である。
【図２】同前枠、遊技盤側の正面図である。
【図３】同前扉側の背面図である。
【図４】同要部の横断面図である。
【図５】同要部の縦断面図である。
【図６】同要部の縦断面図である。
【図７】同要部の背面図である。
【図８】同裏蓋の斜視図である。
【図９】同要部の分解斜視図である。
【図１０】本発明の第２の実施形態を示す要部の横断面図である。
【図１１】同要部の背面図である。
【図１２】本発明の第３の実施形態を示すパチンコ機の正面図である。
【図１３】同透明板ユニットの正面図である。
【図１４】本発明の第４の実施形態を示す要部の横断面図である。
【発明を実施するための形態】
【００１４】
以下、本発明の各実施形態を図面に基づいて詳述する。
【００１５】
図１〜図９は本発明をパチンコ機に採用した第１の実施形態を例示する。パチンコ機１は図１〜図３に示すように矩形状の外枠２と、この外枠２の前側に装着された前枠３とを備え、これらにより遊技機本体２，３が構成されている。前枠３は左右一端側が上下一対のヒンジ４により外枠２に縦軸廻りに開閉自在に枢支されている。
【００１６】
前枠３には上部側の遊技盤装着部５に遊技盤６が前側（又は後側）から着脱自在に装着され、また下部側に発射手段７、下部スピーカ８等が装着されている。前枠３の前側には、ヒンジ４と略同一軸心上のヒンジ９により前扉１０が開閉自在に装着されている。遊技盤６は遊技盤装着部５の左右一端側の係合部１２を支点として回動自在であり、遊技盤装着部５内で他端側のロック手段１３により着脱自在に固定されている。
【００１７】
発射手段７は、図２に示すように、発射用の遊技球を受ける発射レール１４と、発射レール１４上の遊技球を所定の発射位置に規制するストッパー１５と、前後方向の駆動軸１６廻りに回動して発射レール１４上の遊技球を遊技盤６側へと打撃する打撃槌１７と、駆動軸１６を介して打撃槌１７を駆動するロータリソレノイド等の発射駆動手段１８とを備え、前扉１０の前面側の発射ハンドル１９を操作したときに、発射駆動手段１８の駆動により打撃槌１７が発射レール１４上の遊技球を打撃して遊技盤６側へと発射するようになっている。
【００１８】
発射レール１４、ストッパー１５は発射ベース板２０の前面に固定されている。打撃槌１７は駆動軸１６を介して発射ベース板２０の前側に支持され、発射駆動手段１８は発射ベース板２０の裏側に装着されている。発射ベース板２０は前枠３の支持壁３ａの前側に装着されている。下部スピーカ８は発射ハンドル１９の後方で前枠３の支持壁３ａに装着されている。
【００１９】
遊技盤６の前面には図２に示すように遊技領域２２があり、この遊技領域２２は遊技盤６の前面に装着されたガイドレール２３と前飾り部材２４，２５とにより取り囲まれている。前飾り部材２４，２５は遊技領域２２の外周に周方向に複数個配置されている。ガイドレール２３と反対側で下部側に配置された前飾り部材２５は、図４〜図７に示すように、遊技領域２２側の内周壁２５ａと、この内周壁２５ａと反対側の外周側の外周壁２５ｂと、これら内周壁２５ａ及び外周壁２５ｂを前側で一体に接続する前壁部２５ｃとを備えている。そして、この前飾り部材２５には前壁部２５ｃに証紙貼付部２６が設けられ、その証紙貼付部２６に所定の証紙２７が貼付されている。なお、ガイドレール２３と反対側の前飾り部材２５は周方向に複数個に分割してもよい。
【００２０】
遊技盤６の遊技領域２２には、図２に示すように画像表示手段３０、普通図柄始動手段３１、特別図柄始動手段３２、可変入賞手段３３、普通入賞手段３４、普通図柄表示手段３５、特別図柄表示手段３６等の各種の遊技部品が配置されている。
【００２１】
画像表示手段３０は遊技領域２２の左右方向の略中央の上部に配置され、また、特別図柄始動手段３２、可変入賞手段３３は画像表示手段３０の下側に上下に配置されている。普通図柄始動手段３１は画像表示手段３０とガイドレール２３との間に配置されている。特別図柄始動手段３２は非開閉式入賞口３２ａと開閉式入賞口３２ｂとを有する。可変入賞手段３３は可変入賞口３３ａと、この可変入賞口３３ａを開閉する開閉板３３ｂとを備えている。普通入賞手段３４は可変入賞手段３３の左右両側に設けられている。
【００２２】
画像表示手段３０は、支持部材（図示省略）を介して遊技盤６に裏側から装着された液晶式等の画像表示部３７と、この画像表示部３７に対応する表示窓３８ａを有し且つ遊技盤６に前側から装着された前飾り用の前構造体３８とを備え、前構造体３８の上部側の前面に普通図柄表示手段３５と特別図柄表示手段３６とが装着されている。画像表示部３７、前構造体３８は遊技盤６の開口に対応して前後両側に配置されている。
【００２３】
普通図柄表示手段３５は普通図柄を変動表示するためのもので、複数種類の普通図柄（例えば二種類の「○」「×」）に対応する複数個の発光素子により構成されており、普通図柄始動手段３１が遊技球を検出することを条件に２個の発光素子が交互に点灯するように所定時間点滅して、普通図柄始動手段３１の遊技球の検出時に抽選した乱数値が予め定められた特定遊技判定値と一致した場合に特定態様の「○」側の発光素子が点灯し、それ以外の場合に非特定態様の「×」側の発光素子が点灯して停止する。
【００２４】
特別図柄表示手段３６は発光部位の変化等で特別図柄を変動表示可能なセグメント式等により構成されており、特別図柄始動手段３２が遊技球を検出することを条件に、特別図柄が所定時間変動して、特別図柄始動手段３２の遊技球の検出時に抽選された乱数値が予め定められた特別遊技判定値と一致した場合に所定の特別遊技態様で、それ以外の場合に非特別遊技態様で停止するようになっている。
【００２５】
特別図柄始動手段３２の開閉式入賞口３２ｂは、普通図柄表示手段３５の変動後の停止図柄が特定態様となったときに所定時間（短時間）だけ開放するようになっている。可変入賞手段３３は特別図柄表示手段３６の変動後の特別図柄が特別遊技態様となって特別遊技状態が発生したときに開閉板３３ｂが前側に開放して、上方から落下する遊技球を可変入賞口３３ａへと入賞させるようになっている。
【００２６】
画像表示部３７は待機中にデモ画像を表示し、遊技中に特別図柄表示手段３６の特別図柄に対応する演出図柄３９ａ〜３９ｃを変動表示する等、必要に応じて適宜タイミングで各種の演出画像を随時表示して画像演出を行うためのものである。
【００２７】
即ち、特別図柄表示手段３６の特別図柄の変動に際しては、その特別図柄の変動に同期して１個又は複数個、例えば３個の演出図柄３９ａ〜３９ｃが画像表示部３７に変動表示される。この演出図柄３９ａ〜３９ｃは特別図柄始動手段３２の遊技球の検出を条件に、抽選により決定された所定の演出図柄変動パターンを経て所定時間変動した後、特別図柄の変動終了に同期して所定の順序（例えば左、右、中等の順序）で順次停止する。
【００２８】
演出図柄３９ａ〜３９ｃの変動後の停止図柄は、特別図柄が特別遊技態様で停止する場合には全てが揃う特別演出態様となり、特別図柄が非特別遊技態様で停止する場合には少なくとも一部が異なる非特別演出態様となる。
【００２９】
例えば、演出図柄３９ａ〜３９ｃには０〜９までの数字図柄が使用されており、特別図柄が特別遊技態様で停止する場合には演出図柄３９ａ〜３９ｃは「７・７・７」等の特別演出態様で停止し、特別図柄が非特別遊技態様で停止する場合には演出図柄３９ａ〜３９ｃは「２・３・４」等の非特別演出態様で停止する。
【００３０】
前扉１０は前枠３の上下幅、左右幅に対応する合成樹脂製の扉枠５０と、この扉枠５０を前側から覆う化粧カバー５１，５２とを備えており、前扉１０をヒンジ９廻りに前枠３の前側に閉じた状態のときに、施錠手段により前枠３に施錠可能である。
【００３１】
前扉１０の上部側には、図１、図３に示すように、遊技盤６の遊技領域２２を視認可能な視認窓４２が遊技領域２２に対応して扉枠５０及び化粧カバー５１に開口状に形成され、その視認窓４２を塞ぐように透明板ユニット４３が扉枠５０の後側に着脱自在に装着されている。そして、前扉１０には視認窓４２の上側の左右に上部スピーカ４４Ａ，４４Ｂが、視認窓４２の下部側の左右に中間スピーカ４５Ａ，４５Ｂが夫々配置されている。
【００３２】
左右の中間スピーカ４５Ａ，４５Ｂの内、ガイドレール２３側の中間スピーカ４５Ａはガイドレール２３よりも外側に配置され、また、ガイドレール２３と反対側の中間スピーカ４５Ｂは遊技領域２２の外側で且つ前飾り部材２５の証紙貼付部２６の前側近傍に対応して配置されている。
【００３３】
前扉１０の下部側には発射ハンドル１９の他に、発射用の遊技球を貯留する上貯留手段４６、余剰球を貯留する下貯留手段４７、演出時に発光する発光演出手段４８等が扉枠５０の前側に、発射手段７へと遊技球を送る球送り手段５３が扉枠５０の後側に夫々設けられている。なお、前扉１０は視認窓４２を含む上部側と、貯留手段４６，４７及び発射ハンドル１９を含む下部側とに二分割してもよい。
【００３４】
扉枠５０は、図３に示すように、内側上部に一体に形成された上板部５４と、内側下部に一体に形成された下板部５５と、内側左右に一体に形成された側板部５６，５７とを備えている。上板部５４、下板部５５の後側には板金製の補強板５８，５９が装着され、また、左右の側板部５６，５７の後側には上板部５４及び下板部５５に跨がって左右一対の板金製の縦補強部材６０，６１が上下方向に装着されている。
【００３５】
下板部５５の補強板５９の上端部には、図３、図５〜図７に示すように、透明板ユニット４３を下側から受ける受け部材６３が視認窓４２の下側近傍に左右方向に設けられている。受け部材６３は補強材兼用であって、補強板５９の上端から後側に屈曲して設けられている。なお、受け部材６３には後端側から下側に屈曲する屈曲部６３ａが設けられている。受け部材６３は補強板５９と一体の他、補強板５９とは別に設けてもよい。ヒンジ９と反対側の縦補強部材６１は、後側へと屈曲する外屈曲部６１ａと内屈曲部６１ｂとが設けられている。なお、ヒンジ９側の縦補強部材６０にも、必要に応じて後側へと屈曲する屈曲部が内外又はその一方に設けられている。
【００３６】
扉枠５０、化粧カバー５１には、図１、図３、図７、図９に示すように、そのガイドレール２３と反対側に、視認窓４２の下縁部４２ａと縦縁部４２ｂとの延長線上よりも視認窓４２側に突出するスピーカ配置部６６が設けられ、このスピーカ配置部６６に中間スピーカ４５Ｂ、スピーカカバー６７及び開口部６８が配置されている。
【００３７】
スピーカ配置部６６の扉枠５０には、図４〜図７、図９に示すように、前後両側に開口するスピーカ収容部６９が設けられている。スピーカ収容部６９は側板部５７と一体の筒状の周壁部７０を有し、その内部に着脱自在に中間スピーカ４５Ｂが収容され、その前後がスピーカカバー６７と裏蓋７１により塞がれている。
【００３８】
中間スピーカ４５Ｂはスピーカフレーム７２、振動板７３等を有し、そのスピーカフレーム７２の外周部が周壁部７０の段部に後側から当接してネジ等の固定具７４により着脱自在に取り付けられている。スピーカフレーム７２には周方向に複数の開口７３ａが形成されている。
【００３９】
スピーカカバー６７はスピーカ収容部６９の開口端を前側から塞ぐためのもので、図４、図９に示すように、外周から後側に屈曲する一対の取り付け片７５，７６を介して扉枠５０に着脱自在に固定されている。スピーカカバー６７の一方の取り付け片７５は、その先端側の係合部７５ａが周壁部７０の近傍で側板部５７の後側に係合され、他方の取り付け片７６がネジ等の固定具７７により化粧カバー５１と共に側板部５７に後側から共締めにより固定されている。スピーカカバー６７にはスピーカ収容部６９に対応して多数の小孔６７ａが設けられている。化粧カバー５１の開口部６８の外周側は、後端がスピーカカバー６７の外周側に前側から当接している。
【００４０】
裏蓋７１は、図４、図６〜図９に示すように、スピーカ収容部６９内で中間スピーカ４５Ｂを後側から覆う第１覆い部７８と、スピーカ収容部６９に形成されたハーネス挿通部７９を後側から覆う第２覆い部８０と、両覆い部７８，８０間に設けられた前後方向の段差部８１とを有し、ネジ等の固定具８２で扉枠５０のスピーカ配置部６６に後側から着脱自在に固定されている。
【００４１】
第２覆い部８０は第１覆い部７８に対して視認窓４２とは反対側に段差部８１を介して一体に設けられている。各覆い部７８，８０は前側の外周側の全周又は一部に周壁７８ａ，８０ａを有し、各覆い部７８，８０の前面に当接した不正部材が外周から後側に進入し得ないようになっている。
【００４２】
第２覆い部８０の外端側は、その内外二つの周壁８０ａが縦補強部材６１の内屈曲部６１ｂの両側に位置する等、縦補強部材６１、補強板５９の後側との間に隙間が生じ難くなるように構成されている。ハーネス挿通部７９は周壁部７０の後端側から下側に形成されており、中間スピーカ４５Ｂのハーネス（図示省略）はこのハーネス挿通部７９を経て受け部材６３の下側へと引き出されている。
【００４３】
透明板ユニット４３は視認窓４２を塞ぐものであって、図３、図５、図７に示すように下部側が受け部材６３上に載置されると共に、係合手段８３を介して扉枠５０の後側に着脱自在に係合され、また上側が左右一対の固定手段８４により扉枠５０の後側に着脱自在に固定されている。
【００４４】
透明板ユニット４３は、図４〜図７に示すように、所定の間隔を置いて配置された前後二枚の透明板８５，８６と、この透明板８５，８６を外周側から保持する保持部材８７とを有する。透明板８５，８６にはガラス板等が用いられている。保持部材８７は二枚の透明板８５，８６間の間隔を保持する間隔保持部８７ａと、間隔保持部８７ａの前後両側から前後方向に屈曲して各透明板８５，８６の外周を取り囲む前後二つの外周保持部８７ｂ，８７ｃとを有する。
【００４５】
この透明板ユニット４３には、左右方向の下縁部４３ａとガイドレール２３とは反対側の縦縁部４３ｂとの交差部分の内側隅部に、中間スピーカ４５Ｂの前側からスピーカ収容部６９を経て挿入される不正部材の遊技盤６側への進入を阻止する不正阻止部８９がスピーカ配置部６６の後側の略全体に対応して設けられている。
【００４６】
従って、スピーカ収容部６９及び中間スピーカ４５Ｂは、透明板ユニット４３に形成された不正阻止部８９の前側に、その略全体が透明板ユニット４３の不正阻止部８９に対して前後に重なる位置に配置されている。
【００４７】
なお、中間スピーカ４５Ｂは透明板ユニット４３の外周の保持部材８７が遊技盤６の前飾り部材２５の前面に近接して、その両者間から遊技領域２２内に不正部材の進入が困難なような場合には、不正阻止部８９は中間スピーカ４５Ｂに対して遊技領域２２側の一部と前後に重なるように設けることも可能である。つまり、中間スピーカ４５Ｂは少なくとも一部が不正阻止部８９と前後に重なる位置にあればよい。
【００４８】
係合手段８３は、図５、図７、図９に示すように、保持部材８７から下側に突出する係合突部８３ａと、扉枠５０の下板部５５に上向きに開口して形成され且つ保持部材８７を受け部材６３上に載置したときに係合突部８３ａが上側から係脱自在に係合する係合部８３ｂとを有し、左右方向に所定の間隔を置いて一対設けられている。
【００４９】
係合部８３ｂは下板部５５から後側に屈曲しており、この係合部８３ｂと干渉しないように補強板５９、受け部材６３に切り欠き部６３ｂが形成されている。なお、補強板５９には係合部８３ｂを裏側から覆うように切り欠き部９０の左右両側に跨がって補強部材９１が固定されている。
【００５０】
固定手段８４は、保持部材８７から外側に突出する突部８４ａと、扉枠５０に支軸８４ｂ廻りに回動自在に枢支され且つ突部８４ａを扉枠５０側に締め付ける固定具８４ｃとを有する。固定具８４ｃは突部８４ａを締め付ける締め付け位置と、突部８４ａから離脱する離脱位置とに位置決め可能である。
【００５１】
不正阻止部８９は、図４、図６、図９に示すように前側の透明板８５と、保持部材８７の外周保持部８７ｃから第２覆い部８０の裏側へと突出する突出部９３とにより構成され、これらにより不正部材の遊技盤６側への挿入を阻止するようになっている。
【００５２】
即ち、透明板ユニット４３の不正阻止部８９側の前後二枚の透明板８５，８６は、中間スピーカ４５Ｂに近い前側の透明板８５が後側の透明板８６よりも視認窓４２の外側へと広がっており、中間スピーカ４５Ｂの後側に対応する大きさになっている。なお、前側の外周保持部８７ｂは裏蓋７１の第１覆い部７８の裏面に当接又は近接し、裏蓋７１の段差部８１に近接又は当接している。
【００５３】
また、保持部材８７の不正阻止部８９側の前後二つの外周保持部８７ｂ，８７ｃは、前側の外周保持部８７ｂが後側の外周保持部８７ｃよりも外側に突出しており、後側の外周保持部８７ｃに裏蓋７１の第２覆い部８０の裏側及び前枠３の内周側に近接する突出部９３が一体に設けられている。突出部９３の外周保持部８７ｃ側の端部は前側の透明板８５と前後に重なっている。
【００５４】
なお、ガイドレール２３側の中間スピーカ４５Ａは、透明板ユニット４３の外側で扉枠５０に配置され、扉枠５０の後側に着脱自在に装着された裏蓋６５により覆われている。裏蓋６５の後部側は、遊技盤６の下隅部の切り欠き部６ａ内に位置している。
【００５５】
下板部５５には突出部９３の下側に、発射ハンドル１９を支持する支持板９５、ハーネス挿通部７９に接続するハーネス通路９６等が設けられている。
【００５６】
このパチンコ機では、遊技盤６の遊技領域２２に対応する視認窓４２が前扉１０に形成されており、その視認窓４２が前扉１０の後側に装着された透明板ユニット４３により塞がれた状態にある。従って、遊技に際して発射手段７により発射された遊技球は、ガイドレール２３に沿って遊技領域２２の上部へと案内された後、遊技領域２２内を遊技盤６の前面に沿って流下して入賞手段３３，３４等の何れかに入賞するか、入賞せずにアウト口から回収されて行く。
【００５７】
遊技中はスピーカ４４Ａ，４４Ｂ，４５Ａ，４５Ｂ等から効果音を適宜発生して遊技状態を音響的に演出するが、その演出効果の増大を図るべく、前扉１０には視認窓４２の周辺に上部スピーカ４４Ａ，４４Ｂ及び中間スピーカ４５Ａ，４５Ｂを配置すると共に、発射ハンドル１９の後側近傍に下部スピーカ８を配置している。
【００５８】
中間スピーカ４５Ｂは扉枠５０に前後に貫通状に形成されたスピーカ収容部６９内に収容されているが、その後側に裏蓋７１があり、しかも裏蓋７１の後側には透明板ユニット４３に形成された不正阻止部８９があるため、スピーカカバー６７の小孔６７ａを経て中間スピーカ４５Ｂ側へと細い不正部材を挿入するようなことがあっても、その不正部材の遊技盤６の遊技領域２２側への挿入を阻止することができる。
【００５９】
何故ならば、スピーカ収容部６９に裏蓋７１の第１覆い部７８が嵌合しているので、仮に中間スピーカ４５Ｂの振動板７３を破って不正部材を挿入しても、この裏蓋７１の第１覆い部７８によって、その不正部材の後側への通過を阻止することができる。また中間スピーカ４５Ｂのハーネスに対応して裏蓋７１には第２覆い部８０があり、この第２覆い部８０でハーネス挿通部７９を裏側から覆っているため、そのハーネス挿通部７９からの不正部材の進入も阻止することができる。
【００６０】
また不正部材の先端を鋭利にして裏蓋７１に孔をあける等の方法により、仮に裏蓋７１を通過して不正部材を挿入するようなことがあっても、裏蓋７１の後側には透明板ユニット４３の不正阻止部８９があるため、この不正阻止部８９によって後側への不正部材の進入を阻止することができる。
【００６１】
特に不正阻止部８９はその大部分を透明板８５により構成しているので、透明板８５としてガラス板等を採用する場合には、そのガラス板等によって確実に阻止することができる。また、不正阻止部８９の一部は保持部材８７と一体の突出部９３によって構成しているが、この突出部９３は遊技領域２２から離れた隅にあり、中間スピーカ４５Ｂから遊技領域２２とは反対側にあるため、この突出部９３側からの遊技領域２２への不正部材の挿入は非常に困難であり、事実上無視できる程度である。
【００６２】
更に、透明板ユニット４３の不正阻止部８９は前後二枚の透明板８５，８６の内、遊技盤６の遊技領域２２と対向する後側の透明板８６よりも前側の透明板８５を外側へと突出させて構成しているので、透明板８５の必要部分のみを大にすればよく、前後二枚の透明板８５，８６を同形状に構成する場合に比較して、透明板８６を必要以上に大型化する等の無駄を防止することができ、また透明板ユニット４３の大重量化を防止することができる。
【００６３】
透明板ユニット４３を装着する場合には、保持部材８７の下側の係合突部８３ａを下板部５５の上端の係合部８３ｂに係合しながら透明板ユニット４３を受け部材６３上に載置する。その後、係合突部８３ａと係合部８３ｂとの係合部分を支点として、透明板ユニット４３の上部側を扉枠５０側に接近させて保持部材８７を扉枠５０の後側に当接し、左右の固定手段８４の固定具８４ｃを突部８４ａ側に廻して、その固定具８４ｃにより突部８４ａを扉枠５０側に締結して固定できる。従って、扉枠５０の後側に透明板ユニット４３を容易に装着することができる。
【００６４】
また透明板ユニット４３の透明板８５、保持部材８７を利用して透明板ユニット４３に突出部９３を設けているため、透明板ユニット４３を扉枠５０の後側に装着する際に、その突出部９３によってスピーカ収容部６９、裏蓋７１等を後側から覆うことが可能であり、突出部９３をスピーカ収容部６９の後側に着脱自在に配置するに当たって、別途操作を必要とする等の問題もない。
【００６５】
図１０及び図１１は本発明の第２の実施形態を例示する。この実施形態では、スピーカ収容部６９の裏蓋７１を省略して、スピーカ収容部６９の後側の開口を透明板ユニット４３の不正阻止部８９で塞ぐようになっている。
【００６６】
透明板ユニット４３の二枚の透明板８５，８６の内、前側の透明板８５はスピーカ収容部６９を形成する周壁部７０の遊技領域２２とは反対側の端部まで達する大きさ、形状であり、その外周縁は後側の透明板８６の外周縁よりも大きく外側に突出して、この前側の透明板８５によってスピーカ収容部６９を後側から略覆うようになっている。
【００６７】
透明板８５，８６を保持する保持部材８７には、前側の透明板８５に対応する外周保持部８７ｂの外側に、これよりも外側に突出する突出部９３が設けられている。この突出部９３は縦補強部材６１の内屈曲部６１ｂの外側に屈曲する屈曲部９３ａを外側に有し、ハーネス通路９６の上端部内に屈曲する屈曲部９３ｂを下側に有する。なお、不正阻止部８９は透明板８５と突出部９３とによって構成されている。他の構成は第１の実施形態と同様である。
【００６８】
このように透明板ユニット４３の不正阻止部８９でスピーカ収容部６９を後側から覆うようにすることも可能である。この場合には、第１の実施形態の場合の裏蓋７１を省略することができる。
【００６９】
図１２、図１３は本発明の第３の実施形態を例示する。この実施形態の透明板ユニット４３には、左右の中間スピーカ４５Ａ，４５Ｂに対応してその後側に不正阻止部８９が設けられ、この各不正阻止部８９により、スピーカ収容部６９の後側を覆うようになっている。不正阻止部８９は第１の実施形態又は第２の実施形態の何れでもよい。他の構成は第１の実施形態又は第２の実施形態と同様である。
【００７０】
このように左右の各中間スピーカ４５Ａ，４５Ｂに対応して、透明板ユニット４３に不正阻止部８９を設けることにより各中間スピーカ４５Ａ，４５Ｂに同様の不正行為防止対策を講じることもできる。
【００７１】
また、透明板ユニット４３の下側に合成樹脂製の保持部材８７から突出する係合突部８３ａがあり、左右両側の隅部に突出部９３が夫々あるため、前扉１０から取り外した状態で透明板ユニット４３を床等に置いた場合にも、その係合突部８３ａ、突出部９３が床等に接触することになり、この係合突部８３ａ、突出部９３によって床等に置いたときの衝撃を緩和でき、透明板ユニット４３の取り扱いを容易にすることもできる。
【００７２】
図１４は本発明の第４の実施形態を例示する。この実施形態では、透明板ユニット４３の不正阻止部８９は、前側の透明板８５と、保持部材８７に着脱自在に装着された突出部９３とによって構成されている。
【００７３】
透明板ユニット４３の前後二枚の透明板８５，８６は略同形状であって、その一部がスピーカ収容部６９及び中間スピーカ４５Ｂの後側に対応している。突出部９３は保持部材８７の外側でスピーカ収容部６９を後側から塞ぐ形状であって、装着部９４を介して保持部材８７に着脱自在に装着されている。装着部９４は保持部材８７の前側の外周保持部８７ｂに外周側から当接する円弧状の当接部９４ａと、この当接部９４ａの後側に前後の外周保持部８７ｂ，８７ｃ間に挿入可能に形成された挿入部９４ｂと、当接部９４ａの前側に形成され且つ前側の外周保持部８７ｂに対して係脱自在に係合する係合部９４ｃとを有する。突出部９３は、スピーカ収容部６９内に入る閉塞部９３ｃを有する。なお、突出部９３の前面に鉄板等の進入阻止板を設けてもよい。なお、他の構成は第１〜第３の実施形態と同様である。
【００７４】
このように透明板ユニット４３の透明板８５の一部と、透明板ユニット４３に着脱自在に装着された突出部９３とにより不正阻止部８９を構成することも可能である。特に透明板ユニット４３を遊技領域２２の大きさ、外周形状の異なる複数種類の機種に兼用可能な汎用部品とするような場合には、その透明板ユニット４３とは別に、中間スピーカ４５Ａ，４５Ｂの位置に応じた形状の突出部９３を設けておくことにより、各機種に容易に対応できる利点がある。
【００７５】
以上、本発明の各実施形態について詳述したが、本発明はこの各実施形態に限定されるものではなく、本発明の趣旨を逸脱しない範囲で種々の変更が可能である。例えば、各実施形態では、遊技機として弾球遊技機の一つであるパチンコ機について例示しているが、パチンコ機以外のアレンジボール機等の遊技機においても同様に実施可能であることは云うまでもない。
【００７６】
また、各実施形態では、ガイドレール２３とは反対側の中間スピーカ４５Ｂに対応して透明板ユニット４３に不正阻止部８９を設ける場合を中心に説明したが、上部スピーカ４４Ａ，４４Ｂに対応して透明板ユニット４３に不正阻止部８９を設けてもよいし、上部スピーカ４４Ａ，４４Ｂ及び中間スピーカ４５Ａ，４５Ｂに対応して透明板ユニット４３に不正阻止部８９を設けてもよい。
【００７７】
透明板ユニット４３の不正阻止部８９は中間スピーカ４５Ｂの少なくとも一部の後側に対応するものでもよい。その場合、透明板ユニット４３の不正阻止部８９は中間スピーカ４５Ｂの遊技領域２２に近い側に対応することが望ましい。
【００７８】
不正阻止部８９は一般的には中間スピーカ４５Ｂ側から挿入された不正部材の後側への進入を阻止できるものであれば十分である。しかし、中間スピーカ４５Ｂと周壁部７０との相対関係によっては、中間スピーカ４５Ｂの周辺部分を経て不正部材が挿入されるようなことも考えられる。従って、不正阻止部８９は、単に中間スピーカ４５Ｂを経て挿入される不正部材、又は中間スピーカ４５Ｂの周辺部分を経て挿入される不正部材を阻止できるだけでなく、中間スピーカ４５Ｂ及びその周辺部分を経て挿入される不正部材を阻止できるようにすることが望ましい。
【００７９】
不正阻止部８９はその全部又は略全部を透明板ユニット４３の透明板８５，８６により構成してもよいし、一部を透明板ユニット４３の透明板８５，８６により構成してもよいが、少なくとも主要部を透明板８５，８６で構成することが望ましい。透明板ユニット４３の透明板８５，８６は一枚でもよい。
【００８０】
中間スピーカ４５Ｂはスピーカ収容部６９に前側から挿入して、前側からネジ等によって固定するようにしてもよい。また、スピーカ収容部６９は少なくとも中間スピーカ４５Ｂの後部側を収容する構造でもよい。スピーカ収容部６９を取り囲む周壁部７０は、扉枠５０と一体に形成する他、その一部又は全部を扉枠５０に対して着脱自在に設けてもよい。
【符号の説明】
【００８１】
２  外枠（遊技機本体）
３  前枠（遊技機本体）
３ａ  支持壁
５  遊技盤装着部
６  遊技盤
７  発射手段
１０  前扉
２２  遊技領域
２３  ガイドレール
２４，２５  前飾り部材
４２  視認窓
４３  透明板ユニット
４５Ｂ  中間スピーカ
５０  扉枠
５１，５２  化粧カバー
６７  スピーカカバー
６９  スピーカ収容部
７１  裏蓋
８５，８６  透明板
８７  保持部材
８９  不正阻止部
９３  突出部
【図１】
0005963819.tif 000002
【図２】
0005963819.tif 000003
【図３】
0005963819.tif 000004
【図４】
0005963819.tif 000005
【図５】
0005963819.tif 000006
【図６】
0005963819.tif 000007
【図７】
0005963819.tif 000008
【図８】
0005963819.tif 000009
【図９】
0005963819.tif 000010
【図１０】
0005963819.tif 000011
【図１１】
0005963819.tif 000012
【図１２】
0005963819.tif 000013
【図１３】
0005963819.tif 000014
【図１４】
0005963819.tif 000015